【手続補正書】
【提出日】平成25年9月18日(2013.9.18)
【手続補正１】
【補正対象書類名】特許請求の範囲
【補正対象項目名】全文
【補正方法】変更
【補正の内容】
【特許請求の範囲】
【請求項１】
受信した所定の放送番組内の構成部分である番組コーナーを検出する検出手段と、
前記検出手段が検出した前記番組コーナーの開始時刻及び終了時刻のデータを保存する蓄積手段と、
前記蓄積手段に保存された開始時刻及び終了時刻のデータを用いて、前記所定の放送番組の放送回数と、前記所定の放送番組内の所定の時間帯に前記番組コーナーが放送された回数とに基づいて、前記番組コーナーの放送時間帯を予測して、放送予測情報の表示データを作成して出力する作成手段と、を備えることを特徴とする受信装置。
【請求項２】
前記蓄積手段に保存された開始時刻及び終了時刻のデータを用いて、前記所定の放送番組の放送回数に対して、前記所定の放送番組内の所定の時間帯に前記番組コーナーが放送された割合を、放送率として計算する計算手段をさらに備え、
前記作成手段は、前記計算手段の計算した前記放送率を閾値と比較して、前記放送率が前記閾値以上である場合に、前記番組コーナーの放送予測情報を表示した予測番組表を作成することを特徴とする請求項１に記載の受信装置。
【請求項３】
前記作成手段は、前記計算手段が計算した前記放送率を、前記番組コーナーの放送可能性を示す複数の段階にそれぞれ対応した閾値と比較して、前記放送率が前記閾値以上である場合に、前記番組コーナーの放送可能性を予測時間帯とし、前記予測時間帯を前記複数の段階に区別して前記予測番組表に表示させる表示データを作成することを特徴とする請求項２に記載の受信装置。
【請求項４】
前記計算手段は、前記蓄積手段に保存された開始時刻のデータを用いて、予め決められた時間ごとに前記番組コーナーの放送が開始された割合を示す放送開始率を計算し、
前記作成手段は、前記計算手段が計算した前記放送開始率を閾値と比較して、前記放送開始率が前記閾値以上である場合に、前記番組コーナーの放送可能性について予測情報を示す表示データを作成することを特徴とする請求項２に記載の受信装置。
【請求項５】
前記作成手段による前記番組コーナーの予測時間帯を表示した予測番組表の作成の際、前記予測番組表にて複数の番組コーナーの間で前記予測時間帯が重なり合う場合に、前記複数の番組コーナーのうち、どの放送率が大きいかを判定する重なり計算手段をさらに備え、
前記重なり計算手段は、前記予測時間帯が重なり合う複数の番組コーナーのうち、放送率が大きい番組コーナーの予測時間帯を前記予測番組表にて画面の前景に描画させると判断して前記作成手段に通知することを特徴とする請求項３に記載の受信装置。
【請求項６】
前記番組コーナーの選局が指定された場合、前記計算手段が計算した前記放送開始率を用いて、複数の番組コーナーのうちで現在時刻での前記放送開始率が最大である番組コーナーを選択して受信手段に選局を指示する選局判断手段をさらに備えることを特徴とする請求項４に記載の受信装置。
【請求項７】
前記番組コーナーの選局が指定された場合、前記計算手段が計算した前記放送開始率を用いて、現在時刻以降に分布する前記放送開始率を合計した総開始率を算出し、現在時刻にて放送が開始していない複数の番組コーナーのうちで総開始率が基準値以上である番組コーナーを候補として抽出する選局判断手段をさらに備えることを特徴とする請求項４に記載の受信装置。
【請求項８】
前記選局判断手段は、前記複数の番組コーナーの放送が開始された開始時刻の分布を調べて、前記候補のうち、前記放送開始率の終端位置の時刻が現在時刻に最も近い番組コーナーを選択して受信手段に選局を指示することを特徴とする請求項７に記載の受信装置。
【請求項９】
受信した所定の放送番組内の構成部分である番組コーナーを検出する検出工程と、
前記検出工程で検出された前記番組コーナーの開始時刻及び終了時刻のデータを保存する蓄積工程と、
前記蓄積工程で保存された開始時刻及び終了時刻のデータを用いて、前記所定の放送番組の放送回数と、前記所定の放送番組内の所定の時間帯に前記番組コーナーが放送された回数とに基づいて、前記番組コーナーの放送時間帯を予測して、放送予測情報の表示データを作成して出力する作成工程と、を有することを特徴とする受信装置の制御方法。
【請求項１０】
前記蓄積工程で保存された開始時刻及び終了時刻のデータを用いて、前記所定の放送番組の放送回数に対して、前記所定の放送番組内の所定の時間帯に前記番組コーナーが放送された割合を、放送率として計算する計算工程をさらに有し、
前記作成工程では、前記計算工程で計算された前記放送率を閾値と比較して、前記放送率が前記閾値以上である場合に、前記番組コーナーの放送予測情報を表示した予測番組表を作成することを特徴とする請求項９に記載の受信装置の制御方法。
【請求項１１】
前記作成工程では、前記計算工程によって計算された前記放送率を、前記番組コーナーの放送可能性を示す複数の段階にそれぞれ対応した閾値と比較して、前記放送率が前記閾値以上である場合に、前記番組コーナーの放送可能性を予測時間帯とし、前記予測時間帯を前記複数の段階に区別して前記予測番組表に表示させる表示データを作成することを特徴とする請求項１０に記載の受信装置の制御方法。
【請求項１２】
前記計算工程では、前記蓄積工程によって保存された開始時刻のデータを用いて、予め決められた時間ごとに前記番組コーナーの放送が開始された割合を示す放送開始率を計算し、
前記作成工程では、前記計算工程によって計算された前記放送開始率を閾値と比較して、前記放送開始率が前記閾値以上である場合に、前記番組コーナーの放送可能性について予測情報を示す表示データを作成することを特徴とする請求項１０に記載の受信装置の制御方法。
【請求項１３】
前記作成工程による前記番組コーナーの予測時間帯を表示した予測番組表の作成の際、前記予測番組表にて複数の番組コーナーの間で前記予測時間帯が重なり合う場合に、前記複数の番組コーナーのうち、どの放送率が大きいかを判定する重なり計算工程をさらに有し、
前記重なり計算工程では、前記予測時間帯が重なり合う複数の番組コーナーのうち、放送率が大きい番組コーナーの予測時間帯を前記予測番組表にて画面の前景に描画させると判断して前記作成工程での前記予測番組表の作成を制御することを特徴とする請求項１１に記載の受信装置の制御方法。
【請求項１４】
前記番組コーナーの選局が指定された場合、前記計算工程によって計算された前記放送開始率を用いて、複数の番組コーナーのうちで現在時刻での前記放送開始率が最大である番組コーナーを選択して前記受信装置が備える受信手段に選局を指示する選局判断工程をさらに有することを特徴とする請求項１２に記載の受信装置の制御方法。
【請求項１５】
前記番組コーナーの選局が指定された場合、前記計算工程によって計算された前記放送開始率を用いて、現在時刻以降に分布する前記放送開始率を合計した総開始率を算出し、現在時刻にて放送が開始していない複数の番組コーナーのうちで総開始率が基準値以上である番組コーナーを候補として抽出する選局判断工程をさらに有することを特徴とする請求項１２に記載の受信装置の制御方法。
【請求項１６】
前記選局判断工程では、前記複数の番組コーナーの放送が開始された開始時刻の分布を調べて、前記候補のうち、前記放送開始率の終端位置の時刻が現在時刻に最も近い番組コーナーを選択して前記受信装置が備える受信手段に選局を指示することを特徴とする請求項１５に記載の受信装置の制御方法。
【手続補正２】
【補正対象書類名】明細書
【補正対象項目名】０００５
【補正方法】変更
【補正の内容】
【０００５】
本発明の一実施形態の受信装置は、受信した所定の放送番組内の構成部分である番組コーナーを検出する検出手段と、前記検出手段が検出した前記番組コーナーの開始時刻及び終了時刻のデータを保存する蓄積手段と、前記蓄積手段に保存された開始時刻及び終了時刻のデータを用いて、前記所定の放送番組の放送回数と、前記所定の放送番組内の所定の時間帯に前記番組コーナーが放送された回数とに基づいて、前記番組コーナーの放送時間帯を予測して、放送予測情報の表示データを作成して出力する作成手段と、を備える。